(57)【特許請求の範囲】
【請求項１】
本体部と、該本体部の前面に設けられた発光面とを備える照明装置において、
前記前面に設けられた第１開口部と、
前記本体部の背面の前記第１開口部に対向する位置から変位した位置に設けられた第２開口部と、
前記第１開口部と第２開口部とを連通する流路内で、前記第１開口部の開口面に対して略平行をなすように配置され、前記第１開口部から前記第２開口部の視界を遮るための遮蔽板と、
前記発光面を有し、箱体をなす光源部と、
前記本体部の背面、及び前記光源部の前記発光面と反対側の反対面の間に配置され、前記光源部へ電力を供給する電源部と、
前記遮蔽板の前記第２開口部側の側縁に対向し、前記反対面に直交する方向に配置された電源部カバーと
を備え、
前記流路の一部を、前記遮蔽板及び前記反対面の間の隙間、並びに前記側縁及び前記電源部カバーの間の隙間により形成してあることを特徴とする照明装置。
【請求項２】
前記第１開口部は、
前記発光面の近傍に設けてあり、
前記第２開口部は、
前記反対面に対設してあることを特徴とする請求項１に記載の照明装置。
【請求項３】
前記遮蔽板は、
前記開口面に垂直な方向において、前記反対面と前記第２開口部との間に位置し、
前記開口面に平行な方向において、前記第１開口部と第２開口部との間に位置するように配置してあることを特徴とする請求項２に記載の照明装置。
【請求項４】
前記遮蔽板の前記第１開口部側の側縁に該第１開口部の方に屈曲させた屈曲部を備えることを特徴とする請求項１から請求項３までのいずれか１項に記載の照明装置。
【請求項５】
前記遮蔽板の前記第２開口部側の側縁に該第２開口部の方に屈曲させた屈曲部を備えることを特徴とする請求項１から請求項４までのいずれか１項に記載の照明装置。
【請求項６】
前記電源部は、
前記背面の、前記第２開口部に対して前記第１開口部と反対側に配置してあることを特徴とする請求項２から請求項５までのいずれか１項に記載の照明装置。
【発明の詳細な説明】
【技術分野】
【０００１】
本発明は、照明装置に関し、特に空調レターンを有する照明装置に関する。
【背景技術】
【０００２】
近年、複雑化、多様化する高層ビルやインテリジェントビルなどでは、省施工性、快適性、経済性、安全性あるいはレイアウトの自由度といった観点から、システム天井が採用されている。このシステム天井は、天井に金属製のＴバー（骨組み）を格子状に施設し、施設したＴバーの上に天井仕上げ材を載せて施工するものである。
【０００３】
また、このようなシステム天井では、照明設備とそれ以外のスプリンクラー、空調、スピーカー、非常用照明器具などの各種設備とを一体化してコンパクトにレイアウトする要望が強く、また、照明器具の一部に空調レターンを設けた照明装置も開発されている。
【０００４】
このようなシステム天井に設置されるシステム天井用の照明装置としては、例えば、光源ユニットを箱状の本体フレームに収容し、光源ユニットと本体フレームとの間に空調レターンとしての隙間を設けるとともに、本体フレームの上板には通気孔を設け、隙間から流入する空気が通気孔を介して天井側へ流れるようにしている照明装置が開示されている（特許文献１参照）。
【先行技術文献】
【特許文献】
【０００５】
【特許文献１】特開２０１０−１９８８５９号公報
【発明の概要】
【発明が解決しようとする課題】
【０００６】
しかしながら、特許文献１に開示された照明装置では、隙間と通気孔とで構成される空気の流路の途中に電源部を設けているので、隙間と通気孔とが離れている。しかし、照明装置の形状又は大きさ、あるいは照明装置の設置場所等の制限から、例えば、電源部の位置を変更しなければならない等により、隙間と通気孔とを近づける必要性が生じた場合、照明装置が設置された状態で隙間から覗いたときに通気孔を介して天井裏が見えてしまうという問題が発生する可能性がある。
【０００７】
本発明は斯かる事情に鑑みてなされたものであり、空気の流路を確保しつつ、天井裏が視認されることがない照明装置を提供することを目的とする。
【課題を解決するための手段】
【０００８】
本発明に係る照明装置は、本体部と、該本体部の前面に設けられた発光面とを備える照明装置において、前記前面に設けられた第１開口部と、前記本体部の背面の前記第１開口部に対向する位置から変位した位置に設けられた第２開口部と、前記第１開口部と第２開口部とを連通する流路内で、前記第１開口部の開口面に対して略平行をなすように配置され、前記第１開口部から前記第２開口部の視界を遮るための遮蔽板と、前記発光面を有し、箱体をなす光源部と、前記本体部の背面、及び前記光源部の前記発光面と反対側の反対面の間に配置され、前記光源部へ電力を供給する電源部と、前記遮蔽板の前記第２開口部側の側縁に対向し、前記反対面に直交する方向に配置された電源部カバーとを備え、前記流路の一部を、前記遮蔽板及び前記反対面の間の隙間、並びに前記側縁及び前記電源部カバーの間の隙間により形成してあることを特徴とする。
【０００９】
本発明にあっては、発光面が配置された本体部の前面に設けられた第１開口部と、本体部の背面（前面と反対側の面）の第１開口部に対向する位置から変位した位置に設けられた第２開口部と、第１開口部と第２開口部とを連通する流路内で、第１開口部の開口面に対して略平行をなすように配置され、第１開口部から第２開口部の視界を遮るための遮蔽板とを備える。第１開口部に対向する位置とは、例えば、第１開口部を開口面と垂直に投影した場合に開口部の大部分が重なる位置である。遮蔽板は、流路内の空気の流れを妨げないように、例えば、板厚の方向が空気の流れる方向と略直交するように流路に沿って遮蔽板を配置することができる。また、第１開口部から見たときに第２開口部が視野に入らないように遮蔽板を配置することができる。第１開口部と第２開口部の位置を変位させることにより、第１開口部から第２開口部の視界を遮るように遮蔽板を設けた場合でも、第１開口部から第２開口部への流路を確保することができる。これにより、第１開口部と第２開口部とを近づけて設ける必要性がある場合でも、空気の流路を確保しつつ第２開口部の外側にある天井が視認されることを防止することができる。
【００１０】
本発明に係る照明装置は、前記第１開口部は、前記発光面の近傍に設けてあり、前記第２開口部は、前記反対面に対設してあることを特徴とする。
【００１１】
本発明にあっては、光源部は、発光面を有する箱体をなし、第１開口部は、発光面の近傍に設けてある。第２開口部は、光源部の発光面と反対の面に対設してある。第１開口部が発光面の近傍に設けられており、第２開口部が発光面と反対の面に対設してあるので、第１開口部と第２開口部の位置を変位させることができ、第１開口部から第２開口部の視界を遮るように遮蔽板を設けた場合でも、第１開口部から第２開口部への流路を確保することができる。
【００１２】
本発明に係る照明装置は、前記遮蔽板は、前記開口面に垂直な方向において、前記反対面と前記第２開口部との間に位置し、前記開口面に平行な方向において、前記第１開口部と第２開口部との間に位置するように配置してあることを特徴とする。
【００１３】
本発明にあっては、遮蔽板は、開口面に垂直な方向において、光源部の発光面と反対の面と第２開口部との間に位置するように配置してある。すなわち、開口面に垂直な仮想直線上に遮蔽板、反対の面及び第２開口部の位置を射影した場合、遮蔽板の位置が反対の面と第２開口部との間に存在するということである。かつ、遮蔽板は、開口面に平行な方向において、第１開口部と第２開口部との間に位置するように配置してある。すなわち、開口面に水平な仮想直線上に遮蔽板、第１開口部及び第２開口部の位置を射影した場合、遮蔽板の位置が第１開口部と第２開口部との間に存在するということである。
【００１４】
開口面に垂直な方向において、遮蔽板を光源部の発光面と反対の面と第２開口部との間に配置することにより、光源部の反対の面と本体部の背面とで画定される空気の流路の方向に沿って遮蔽板を設けることになるので、空気の流れを妨げることを防止することができる。また、第１開口部と第２開口部との位置が変位してある状態で、開口面に平行な方向において、遮蔽板を第１開口部と第２開口部との間に配置することにより、第１開口部から第２開口部の視界を遮るように遮蔽板を設けた場合でも、第１開口部から第２開口部への流路を確保することができる。
【００１５】
本発明に係る照明装置は、前記遮蔽板の前記第１開口部側の側縁に該第１開口部の方に屈曲させた屈曲部を備えることを特徴とする。
【００１６】
本発明にあっては、遮蔽板の第１開口部側の側縁に第１開口部の方に屈曲させた屈曲部を備える。第１開口部から流入した空気が遮蔽板の方へ流れる場合、空気の流れに沿って屈曲部が設けられるので、空気の流れを妨げることなく遮蔽板の強度を高めることができる。
【００１７】
本発明に係る照明装置は、前記遮蔽板の前記第２開口部側の側縁に該第２開口部の方に屈曲させた屈曲部を備えることを特徴とする。
【００１８】
本発明にあっては、遮蔽板の第２開口部側の側縁に第２開口部の方に屈曲させた屈曲部を備える。第１開口部から流入した空気が遮蔽板の方へ流れ、第２開口部の方へ流れる場合、空気の流れに沿って屈曲部が設けられるので、空気の流れを妨げることなく遮蔽板の強度を高めることができる。
【００１９】
本発明に係る照明装置は、前記電源部は、前記背面の、前記第２開口部に対して前記第１開口部と反対側に配置してあることを特徴とする。
【００２０】
本発明にあっては、本体部に収容され、光源部へ電力を供給する電源部を備える。電源部は、本体部の背面の第２開口部に対して第１開口部と反対側に配置してある。電源部を本体部の背面の第２開口部に対して第１開口部と反対側に配置することにより、電源部の配置位置が変更される場合であっても、第１開口部から第２開口部への流路が電源部で妨げられるという事態を防止することができる。
【発明の効果】
【００２１】
本発明によれば、空気の流路を確保しつつ、天井裏が視認されることを防止することができる。
【図面の簡単な説明】
【００２２】
【図１】本実施の形態の照明装置の構成の一例を示す分解斜視図である。
【図２】本実施の形態の照明装置の構成の一例を示す正面図である。
【図３】本実施の形態の照明装置の構成の一例を示す背面図である。
【図４】本実施の形態の照明装置の構成の一例を示す側面から見た断面図である。
【図５】本実施の形態の照明装置の構成の一例を示す側面から見た要部断面図である。
【図６】本実施の形態の通気孔からの視野範囲を示す説明図である。
【図７】比較例としての通気孔からの視野範囲を示す説明図である。
【図８】遮蔽板の他の構成例を具備する照明装置の要部断面図である。
【図９】遮蔽板の他の構成例を具備する照明装置の要部断面図である。
【発明を実施するための形態】
【００２３】
以下、本発明をその実施の形態を示す図面に基づいて説明する。図１は本実施の形態の照明装置１００の構成の一例を示す分解斜視図であり、図２は本実施の形態の照明装置１００の構成の一例を示す正面図であり、図３は本実施の形態の照明装置１００の構成の一例を示す背面図であり、図４は本実施の形態の照明装置１００の構成の一例を示す側面から見た断面図である。本実施の形態の照明装置１００は、箱状の本体部１０、本体部１０に収容される箱体の２つの光源部２０、本体部１０に収容され各光源部２０へ電力を供給する電源部３０などを備える。
【００２４】
本体部１０は、Ｔバー取付金具８１、８２によりシステム天井の格子状に施設されたＴバーの所要の箇所に固定することができる。なお、以下、照明装置１００は、システム天井に設置されるものとして説明するが、本発明に係る照明装置１００は、システム天井用に限定されるものではない。
【００２５】
本体部１０は箱状であって、矩形状の天板１６、天板１６を囲むように、お互いに対向する外板１１、１１及び外板１１それぞれと略直角に交差するとともにお互いに対向する側板１２、１２を有し、正面（前面又は背面）視が略矩形状をなす。本体部１０の内側には、外板１１それぞれと対向するように内板１３を設けてある。これにより、本体部１０の中央部には、側板１２及び内板１３、１３で画定される開口部１５が設けられている。
【００２６】
開口部１５には、例えば、スプリンクラー、空調機器、スピーカー、非常用照明器具などの設備を設置することができる。
【００２７】
外板１１、側板１２及び内板１３で画定される一方の収容部１０１には、一方の光源部２０を収容してある。また、外板１１、側板１２及び内板１３で画定される他方の収容部１０２は、他方の光源部２０及び電源部３０を収容してある。本実施の形態では、１つの光源部３０が収容されているが、例えば、光源部２０の消費電力が大きい場合には、２つの電源部３０をそれぞれの収容部１０１、１０２に収容して所要の電力を供給するようにしてもよい。
【００２８】
電源部３０が収容される収容部１０２には、電源部３０の幅寸法と略同寸法の間隔を空けて内板１３に対向させた板状の電源カバー１４を設けている。
【００２９】
本体部１０の天板１６の収容部１０１側には、第２開口部としての長方形状の通気孔５３、５３を設けてあり、天板１６の収容部１０２側には、第２開口部としての長方形状の通気孔５４、５４を設けてある。
【００３０】
また、収容部１０１内には、後述の第１開口部としての通気孔５１から通気孔５３の視界を遮るための遮蔽板６１を設けてある。また、収容部１０２内には、後述の第１開口部としての通気孔５２から通気孔５４の視界を遮るための遮蔽板６２を設けてある。
【００３１】
光源部２０は、光源としてのＬＥＤチップが基板に実装されたＬＥＤモジュールを備え（いずれも不図示）、正面視（前面視）が長方形状をなす筐体２１内にＬＥＤモジュールを収容してある。光源部２０の一面（前面）には、ＬＥＤチップからの光を透過し、発光面としての透光板２２を設けている。
【００３２】
電源部３０は、交流電圧を所定の直流電圧に変換し、所要の電力をＬＥＤモジュールへ供給する電源回路、ＬＥＤチップの発光量を制御して調光する調光回路などを備える。
【００３３】
また、図２に示すように、一方の外板１１と光源部２０との間には、第１開口部としての長方形状の通気孔５１を設けている。また、他方の外板１１と光源部２０との間には、第１開口部としての長方形状の通気孔５２を設けている。通気孔５１、５２それぞれは、透光板２２の近傍に設けてある。透光板２２の近傍とは、例えば、筐体２１の厚み程度の寸法を離隔した距離である。
【００３４】
また、図２に示すように、遮蔽板６１により通気孔５１から通気孔５３への視野が遮蔽され、通気孔５３の外側にある天井裏は見えないようになっている。また、遮蔽板６２により通気孔５２から通気孔５４への視野が遮蔽され、通気孔５４の外側にある天井裏は見えないようになっている。
【００３５】
図４に示すように、通気孔５２と通気孔５４とを連通する流路７２が形成されている。より具体的には、流路７２は、外板１１、天板１６、電源部カバー１４、光源部２０の筐体２１、光源部２０の透光板２２と反対側の反対面２３などで囲まれている。
【００３６】
流路７２内には、遮蔽板６２を配置してある。遮蔽板６２は、流路７２の方向に沿って配置され、流路７２内の空気の流れを妨げることなく通気孔５２からの通気孔５４の外側の視野を遮る。より具体的には、遮蔽板６２は、光源部２０の反対面（反対の面）２３と天板１６（本体部１０の前面と反対側の背面）との間であって、反対面２３と略平行に設けてある。
【００３７】
また、図４に示すように、通気孔５１と通気孔５３とを連通する流路７１が形成されている。より具体的には、流路７１は、外板１１、天板１６、内板１３、光源部２０の筐体２１、光源部２０の透光板２２と反対側の反対面２３などで囲まれている。
【００３８】
流路７１内には、遮蔽板６１を配置してある。遮蔽板６１は、流路７１の方向に沿って配置され、流路７１内の空気の流れを妨げることなく通気孔５１からの通気孔５３の外側の視野を遮る。より具体的には、遮蔽板６１は、光源部２０の反対面２３と天板１６（本体部１０の前面と反対側の背面）との間であって、反対面２３と略平行に設けてある。
【００３９】
図５は本実施の形態の照明装置１００の構成の一例を示す側面から見た要部断面図である。図５は図４の符号Ｓで示した部分を拡大したものである。以下の説明では、図４の他方側（符号Ｓで示した部分）について説明するが、図４の一方側も同様であるので説明は省略する。図５に示すように、照明装置１００は、光源部２０の透光板２２が配置された本体部１０の前面に設けられた第１開口部としての通気孔５２、本体部１０の前面と反対側の天板１６（背面）に設けられた第２開口部としての通気孔５４、通気孔５２と通気孔５４とを連通する流路７２、流路７２内に配置され流路７２内の空気の流れを妨げることなく通気孔５２から通気孔５４の視界を遮るための遮蔽板６２などを備える。
【００４０】
図５に示すように、遮蔽板６２は、通気孔５２の開口面に垂直な方向において、光源部２０の透光板２２と反対面２３と通気孔５４との間に位置するように配置してある。すなわち、通気孔５２の開口面に垂直な仮想直線上に遮蔽板６２、反対面２３及び通気孔５４の位置を射影した場合、遮蔽板６２の位置が反対面２３と通気孔５４との間に存在するということである。かつ、遮蔽板６２は、通気孔５２の開口面に平行な方向において、通気孔５２と通気孔５４との間に位置するように配置してある。すなわち、通気孔５２の開口面に水平な仮想直線上に遮蔽板６２、通気孔５２及び通気孔５４の位置を射影した場合、遮蔽板６２の位置が通気孔５２と通気孔５４との間に存在するということである。
【００４１】
遮蔽板６２は、流路７２内の空気の流れを妨げないように、例えば、板厚の方向が空気の流れる方向と略直交するように遮蔽板６２を配置することができる。より具体的には、遮蔽板６２を、縦を外板１１の長手方向、横を側板１２の長手方向、高さを透光板２２に対して直交方向とした場合、縦横で画定される面が空気の流れる方向と略平行(例えば、本体部１０の前面又は背面に対して、±１０度程度の範囲内)になるように遮蔽板６２を配置することにより、空気が遮蔽板６２に当って生じる空気抵抗を小さくすることができる。
【００４２】
また、図５に示すように、遮蔽板６２の一端部と外板１１との間隔（符号Ａ）と、遮蔽板６２の一端部と天板１６との間隔（符号Ｂ）とを同程度にすることにより、外板１１及び天板１６と遮蔽板６２との間を流れる空気の断面積に変化がないようにすることができ、空気の流れを妨げることを防止することができる。
【００４３】
また、図５に示すように、遮蔽板６２の他端部と光源部２０の反対面２３との間隔（符号Ｃ）と、遮蔽板６２の他端部と電源部カバー１４との間隔（符号Ｄ）とを同程度にすることにより、光源部２０の筐体２１、反対面２３及び電源部カバー１４と遮蔽板６２との間を流れる空気の断面積に変化がないようにすることができ、空気の流れを妨げることを防止することができる。
【００４４】
図６は本実施の形態の通気孔５２からの視野範囲を示す説明図であり、図７は比較例としての通気孔５２からの視野範囲を示す説明図である。図６、図７において、斜線で示す範囲が通気孔５２からの視野範囲である。図７の例は、遮蔽板６２を具備しない場合の視野範囲を示す。図６の例では、遮蔽板６２を備えることにより通気孔５２から通気孔５４が視野範囲に入らない。すなわち、通気孔５２から内側を見たときに通気孔５４が視野に入らないように遮蔽板６２を配置する。一方、図７の例では、遮蔽板６２を具備しないので、通気孔５２から通気孔５４が視野範囲に入る。
【００４５】
これにより、通気孔５２と通気孔５４とを開口面に対して平行な方向において近づけて設ける必要性がある場合でも、空気の流路を確保しつつ通気孔５４の外側にある天井裏が視認されることを防止することができる。
【００４６】
また、通気孔５２と通気孔５４とは、同等の開口面積を有する。より具体的には、通気孔５２の開口面積と２つの通気孔５４の開口面積の合計面積とは、同等の値にしてある。また、通気孔５４は、通気孔５２に対向する位置から開口面に対して平行な方向に変位した位置に設けてある。ここで、通気孔５２に対向する位置とは、例えば、通気孔５２を開口面と垂直に天板１６に投影した場合に開口部の大部分が重なる位置である。
【００４７】
通気孔５２と通気孔５４との位置を変位させることにより、通気孔５２から通気孔５４の視界を遮るように通気孔５２と通気孔５４との間に遮蔽板６２を設けた場合でも、変位に相当する寸法の流路幅を確保することができる。また、通気孔５２と通気孔５４とを同等の開口面積にすることにより、空調レターンの面積（空気の流路の断面積）が一方の開口部により狭くなることを防止することができる。
【００４８】
また、通気孔５２は、透光板２２の縁部の近傍に設けてある。そして、通気孔５４は、光源部２０の透光板２２と反対側の反対面２３に対設してある。通気孔５２が透光板２２の近傍に設けられており、通気孔５４が反対面２３に対設してあるので、通気孔５２と通気孔５４の位置を変位させることができ、通気孔５２から通気孔５４の視界を遮るように遮蔽板６２を設けた場合でも、遮蔽板６２の側縁側に外板１１又は電源カバー１４との間で隙間を設けることができるので、通気孔５２から通気口５４への流路を確保することができる。
【００４９】
また、遮蔽板６２は、光源部２０の反対面２３と本体部１０の背面としての天板１６との間で反対面２３と略平行に設けてあるので、光源部２０の反対面２３と天板１６とで画定される空気の流路の方向に沿って遮蔽板６２を設けることになるので、空気の流れを妨げることを防止することができる。
【００５０】
また、電源部３０は、本体部１０の背面としての天板１６であって、通気孔５４に対して通気孔５２と反対側に配置してある。これにより、電源部３０の配置位置が変更される場合であっても、電源部３０を、通気孔５４の通気孔５２と反対側に配置している限り、通気孔５２から通気孔５４への流路７２が電源部３０で妨げられるという事態を防止することができる。
【００５１】
図８は遮蔽板６２の他の構成例を具備する照明装置１００の要部断面図である。図８に示すように、遮蔽板６２の通気孔５２側の側縁に通気孔５２の方に屈曲させた屈曲部６２１を備える。すなわち、遮蔽板６２の一方の縁辺を略Ｌ字状に屈曲してある。
【００５２】
通気孔５２から流入した空気が遮蔽板６２の方へ流れる場合、空気の流れに沿って屈曲部６２１が設けられているので、空気の流れを妨げることなく遮蔽板６２の強度を高めることができる。
【００５３】
図９は遮蔽板６２の他の構成例を具備する照明装置１００の要部断面図である。図９に示すように、遮蔽板６２の通気孔５４側の側縁に通気孔５４の方に屈曲させた屈曲部６２２を備える。すなわち、遮蔽板６２の一方の縁辺を略Ｌ字状に屈曲してある。
【００５４】
通気孔５２から流入した空気が遮蔽板６２の方へ流れ、通気孔５４の方へ流れる場合、空気の流れに沿って屈曲部６２２が設けられるので、空気の流れを妨げることなく遮蔽板６２の強度を高めることができる。なお、両方の屈曲部６２１、６２２を設けることもできる。これにより、さらに強度を高めることができる。
【符号の説明】
【００５５】
１０  本体部
１６  天板（背面）
２０  光源部
２２  透光板（発光面）
２３  反対面（反対の面）
３０  電源部
５１、５２  通気孔 (第１開口部)
５３、５４  通気孔（第２開口部）
６１、６２  遮蔽板
６２１、６２２  屈曲部
７１、７２  流路
【図１】
0006004722.tif 000002
【図２】
0006004722.tif 000003
【図３】
0006004722.tif 000004
【図４】
0006004722.tif 000005
【図５】
0006004722.tif 000006
【図６】
0006004722.tif 000007
【図７】
0006004722.tif 000008
【図８】
0006004722.tif 000009
【図９】
0006004722.tif 000010